【手続補正書】
【提出日】平成24年5月14日(2012.5.14)
【手続補正１】
【補正対象書類名】明細書
【補正対象項目名】００２６
【補正方法】変更
【補正の内容】
【００２６】
本発明の少なくとも第７実施例のさらなる目的は、柔軟なキャップを提供し、キャップ
において、また、使用者は、少なくとも一つ以上のレバーを一緒に圧縮し、柔軟なキャッ
プに円形の保持手段を外方に曲げるようにさせ、レバーを解放するとき、円形の保持手段
がベース壁にかみ合うように、ベース上にキャップを配置できる。
【手続補正２】
【補正対象書類名】明細書
【補正対象項目名】００３１
【補正方法】変更
【補正の内容】
【００３１】
【図１】従来技術による従来型の注入セットを示す。
【図２Ａ】本発明の第１実施例に従う注入前の状態のニードルハブアッセンブリーを有する注入セットの等角投影図である。
【図２Ｂ】図２Ａに示される注入セットの断面図である。
【図２Ｃ】図２Ａに示されるニードルハブアッセンブリーの側面図である。
【図２Ｄ】注入後の状態の流体送出ポンプアッセンブリーを有する図２Ａに示される注入セットの側面図である。
【図２Ｅ】図２Ａに示される注入セットの上面図である。
【図３Ａ】本発明の実施例に従う図２Ａに示される注入セットとともに使用するための一例となるチュービングセットコネクタアッセンブリーの側面図である。
【図３Ｂ】本発明の実施例に従うラッチ機構が開放した状態における図３Ａに示されるチュービングセットコネクタの下面図である。
【図３Ｃ】本発明の実施例に従うラッチ機構が閉じた状態における図３Ａに示されるチュービングセットコネクタの下面図である。
【図３Ｄ】本発明の実施例に従うラッチ機構が開放した状態における図３Ａに示されるチュービングセットコネクタの等角投影図である。
【図３Ｅ】本発明の実施例に従うラッチ機構が閉じた状態における図３Ａに示されるチュービングセットコネクタの等角投影図である。
【図４Ａ】本発明の実施例に従う図２Ａに示される注入セットとともに使用するためのカテーテルおよび接続用ポートの断面図である。
【図４Ｂ】本発明の実施例に従う図４Ａに示されるカテーテルおよび接続用ポートの上部等角投影図である。
【図５Ａ】図２Ｅにおける５Ａ−５Ａ線に沿って示されるような注入セットの断面図である。
【図５Ｂ】図２Ｅにおける５Ｂ−５Ｂ線に沿って示されるような注入セットの断面図である。
【図５Ｃ】図２Ｅにおける５Ａ−５Ａ線に沿って示されるような注入セットの等角投影の断面図である。
【図６Ａ】本発明の実施例に従う図２Ａに示される注入セットとともに使用するための一例としてのスリットセプタムの上部等角投影図である。
【図６Ｂ】本発明の実施例に従う注射針挿入の前後における図６Ａに示されるスリットセプタムの上面図である。
【図６Ｃ】本発明の実施例に従う注射針挿入の前後における図６Ａに示されるスリットセプタムの上面図である。
【図７Ａ】本発明の実施例に従う図２Ａに示される注入セットにおけるキャップおよびベースを位置合わせする手段の一例の拡大側面図である。
【図７Ｂ】本発明の実施例に従う図２Ａに示される注入セットにおけるキャップおよびベースの保持手段の一例の拡大側面図である。
【図８Ａ】本発明の実施例に従う図２Ａに示される注入セットに使用される回転止めの構成の一例の動作を示す拡大上面図である。
【図８Ｂ】図８Ａにおける８Ｂ−８Ｂ線に沿って示されるような注入セットに使用される回転止めの構成の拡大断面図である。
【図９】本発明の実施例に従う図２Ａに示される注入セットとともに使用するための代替的なニードルハブアッセンブリーにおける注入セットへの注入直後の拡大断面図である。
【図１０Ａ】本発明の第２実施例に従う代替的なニードルハブアッセンブリーを有する注入セットの一例を注入状態以前で示す上部等角投影図である。
【図１０Ｂ】図１０Ａに示される注入セットの断面図である。
【図１１Ａ】本発明の他の例としての実施例に従う図１０Ａに示される注入セットにおけるチュービングセットコネクタの上面図である。
【図１１Ｂ】本発明の他の例としての実施例に従う図１０Ａに示される注入セットにおけるチュービングセットコネクタの側面図である。
【図１２Ａ】本発明の実施例に従う図１０Ａに示される注入セットとともに使用するためのカテーテルおよび接続ポートアッセンブリーの上面図である。
【図１２Ｂ】本発明の実施例に従う図１０Ａに示される注入セットとともに使用するためのカテーテルおよび接続ポートアッセンブリーの側面図である。
【図１３】本発明の他の実施例に従う図１０Ａに示される注入セットとは違ったチュービングセットコネクタにおける異なる位置に取り付けられる延長チューブを有する図１０Ａに示される注入セットの断面図である。
【図１４】本発明の実施例に従う図１０Ａに示される注入セットの接続ポートアッセンブリーおよびカテーテルに挿入されたニードルハブアッセンブリーの上部等角投影図である。
【図１５】本発明の第３実施例による注入セットにおけるカテーテルと皮膚部位とを示す注入セットの一例とともに使用するためのレンズ装置の一例の拡大断面図である。
【図１６】本発明の第４実施例によるセプタム保持装置の一例を示す等角投影の断面図である。
【図１７】本発明の第４実施例によるセプタム保持装置の他の一例の拡大断面図である。
【図１８】本発明の第４実施例によるセプタム保持装置のさらなる他の一例の拡大断面図である。
【図１９Ａ】本発明の第５実施例による注入セットの一例における接続ポートアッセンブリーにチューブセットを連結するためのラッチ機構の一例の下面図である。
【図１９Ｂ】本発明の第５実施例による注入セットの一例における接続ポートアッセンブリーにチューブセットを連結するためのラッチ機構の一例の上面図である。
【図２０Ａ】本発明の実施例に従う図１９Ａおよび１９Ｂに示される接続ポートアッセンブリーにチューブセットを連結するためのラッチ機構に変更を加えた一例の下面図である。
【図２０Ｂ】本発明の実施例に従う図１９Ａおよび１９Ｂに示される接続ポートアッセンブリーにチューブセットを連結するためのラッチ機構に変更を加えた一例の下面図である。
【図２１Ａ】図２０Ａおよび図２０Ｂに示される接続ポートアッセンブリーにチューブセットを連結するためのラッチ機構に変更を加えた一例の断面図であり、本発明の他の実施例に従う接続ポートアッセンブリーのポストと第１および第２のフープキャップ保持部材との間の相互作用を示す。
【図２１Ｂ】図２０Ａおよび図２０Ｂに示される接続ポートアッセンブリーにチューブセットを連結するためのラッチ機構に変更を加えた一例の断面図であり、本発明の他の実施例に従う接続ポートアッセンブリーのポストと第１および第２のフープキャップ保持部材との間の相互作用を示す。
【図２２】本発明の第６実施例に従う注入セットの一例の接続ポートアッセンブリーにチューブセットを連結するためのラッチ機構の一例の上面図である。
【図２３Ａ】本発明の第７実施例に従う注入セットの一例の接続ポートアッセンブリーにチューブセットを連結するためのラッチ機構の一例の拡大断面図である。
【図２３Ｂ】本発明の第７実施例に従う注入セットの一例の接続ポートアッセンブリーにチューブセットを連結するためのラッチ機構の一例の拡大断面図である。
【図２４Ａ】本発明の第８実施例による接続ポートアッセンブリーにチューブセットを連結するためのラッチ機構の一例をロック状態で示す下部断面図である。
【図２４Ｂ】本発明の実施例に従う接続ポートアッセンブリーにチューブセットを連結するための図２４Ａに示されるラッチ機構をアンロック状態で示す下部断面図である。
【図２４Ｃ】本発明の実施例に従う接続ポートアッセンブリーにチューブセットを連結するための図２４Ａに示されるラッチ機構をロック状態で示す断面図である。
【図２４Ｄ】本発明の実施例に従う接続ポートアッセンブリーにチューブセットを連結するための図２４Ａに示されるラッチ機構をアンロック状態で示す断面図である。
【図２５Ａ】本発明の第９実施例による接続ポートアッセンブリーにチューブセットを連結するためのラッチ機構の一例の下面図である。
【図２５Ｂ】本発明の第９実施例による接続ポートアッセンブリーにチューブセットを連結するためのラッチ機構の一例の下面図である。
【図２６Ａ】本発明の実施例に従う図２５Ａおよび図２５Ｂに示される接続ポートアッセンブリーにチューブセットを連結するためのラッチ機構の代替的な実施例の下面図である。
【図２６Ｂ】本発明の実施例に従う図２５Ａおよび図２５Ｂに示される接続ポートアッセンブリーにチューブセットを連結するためのラッチ機構の代替的な実施例の下面図である。
【図２７】本発明の第１０実施例による注入セットの一例における接続ポートアッセンブリーにチューブセットを連結するためのラッチ機構の一例の側面図である。
【図２８】本発明の第１１実施例による注入セットの一例における接続ポートアッセンブリーにチューブセットを連結するためのラッチ機構の一例の側面図である。
【手続補正３】
【補正対象書類名】明細書
【補正対象項目名】００４６
【補正方法】変更
【補正の内容】
【００４６】
図８Ａおよび図８Ｂは、本発明の第１実施例に従う注入セットのための第１変型例を示
す。図８Ａにおいて、ポスト８および保持部材１８の上面図が示され、ポスト８は、さら
に外周部に配される１個以上のポスト用リブ４０を含む。同様に、保持部材１８は、さら
に、突起３８に対し垂直な１個以上の保持部材用リブ３６を含み得る。ポスト用リブ４０
および保持部材用リブ３６は、それらが互いに容易く整合し、それにより、ベース４回り
のキャップ１４の回動を防止、即ち、実質的に低減させるように、輪郭および構成におい
て実質的に同一である（即ち、当たり合う構成において互いに係合するように構成される
）。従って、使用者は、ポスト用リブ４０、保持部材用リブ３６を相互接続するためにキ
ャップ１４が係合後、さらに回転しない、または、所望の位置で調整されたならば、少な
くとも非常に回転し難いことを知りながら、如何なる所望の位置で係合によりキャップ１
４をロックし、また、キャップ１４の回転のためにリブ３６，４０の非係合により、アン
ロックすることができる。図８Ｂは、図８Ａにおける８Ｂ−８Ｂ線に沿って示される拡大断面図である。如何にしてリブ３６、４０が保持部材１８およびポスト８に形成され、如何にしてそれらが互いに接合および位置合わせするかを示す。図８Ｂに示される例において、保持部材１８は、保持部材用解放手段（不図示）により、左に移動され係合から脱する。従って、キャップ１８は、新たな位置まで回転されるように自在となる。しかしながら、そのような回転可能な位置において、保持部材１８は、ベース４に完全に非係合とされないが、しかし、とにかく、ベース４のポスト８の複数のリブ４０に対し非係合とされない。従って、未だキャップをベースに固定し、使用者の皮膚と良好な密封をもたらす。
【手続補正４】
【補正対象書類名】明細書
【補正対象項目名】００８５
【補正方法】変更
【補正の内容】
【００８５】
図２５Ａは、本発明の第９実施例に従う他の例示のキャップ保持手段１０００をアンロ
ック状態で示す下面図である。図２５Ｂは、キャップ保持手段１０００をロック状態で示
す下面図である。図２５Ａにおいて、キャップ保持手段１０００は、第１のロック用レバ
ーアーム１３０Ａ、および第２のロック用レバーアーム１３０Ｂと、第１のピボット１３
２Ａおよび第２のピボット１３２Ｂとを含む。第１のロック用レバーアーム１３０Ａおよ
び第２のロック用レバーアーム１３０Ｂは、それぞれ、Ｌ字型からなり、スプリング２２
２により、一端で連結されている。第１のロック用レバーアーム１３０Ａ、および第２の
ロック用レバーアーム１３０Ｂと、第１のピボット１３２Ａおよび第２のピボット１３２
Ｂとは、ベース４のポスト８と接続して機能するキャップ３１４の下面に配される。即ち
、第１のロック用レバーアーム１３０Ａおよび第２のロック用レバーアーム１３０Ｂは、
それぞれ、回転可能にキャップ３１４に第１のピボット１３２Ａおよび第２のピボット１
３２Ｂで固定されている。向かい合う端部で、ポスト８を越えた先端で、第１のロック用
レバーアーム１３０Ａおよび第２のロック用レバーアーム１３０Ｂは、それぞれ、スプリ
ング２２２を使って互いに弾性的に固定されている。そのような構成において、スプリン
グ２２２は、第１のロック用レバーアーム１３０Ａおよび第２のロック用レバーアーム１
３０Ｂを一緒に固定位置に付勢し、各ロック用アーム１３０Ａ，１３０Ｂにおける少なく
とも一部分に、図２５Ｂに示されるように、キャップ３１４の切欠部、回り止め、または
肩を解放可能に捕捉させる。ロック用アーム１３０Ａ、１３０Ｂを矢印Ａの方向に押すこ
とにより、その複数のアームが、図２５Ａに示されるように、キャップ３１４の切欠部、
回り止め、または肩を解放する。
【手続補正５】
【補正対象書類名】明細書
【補正対象項目名】００９４
【補正方法】変更
【補正の内容】
【００９４】
図２８で分かるように、使用者が、キャップ５１４をキャップ保持壁１３４に対し配置
し、キャップ５１４に取付けられたリップ１３８が、キャップ保持壁１３４のアンダーカ
ット３１０にかみ合う。それから、使用者がスプリング保持レバー１４０を矢印Ｆの方向
に加えられた力で押圧し、この場合、スプリング保持レバー１４０がスプリング５２２の
弾性収縮力に抗して左に移動する。この例示の実施例において、レバーが、回転すること
なく（以下の本発明の他の実施例に関して述べられる）、前後に移動する。使用者が、キ
ャップ５１４をキャップ保持壁１３４に十分に下降させ、ばね偏倚された保持レバー１４
０を解放し、レバーがキャップ保持壁１３４のアンダーカット３１０下方の所定位置に固定する。スプリング保持レバー１４０は、キャップ保持壁１３４のいずれの方向にもアンダーカット３１０に固定可能であり、キャップ保持手段１２００は、キャップ５１４およびキャップ保持壁１３４が円形であると想定した場合、如何なる特有な方向にも制限されない。他の形状も使用可能とされ、その指向性は、使用時、固有の形状に依存するだろう。